(57)【特許請求の範囲】
【請求項１】
画像を表示する表示部と、
前記表示部に表示させる画像を複数記憶する画像記憶部と、
前記画像記憶部に記憶されている各画像を前記表示部に順次スクロール表示させる表示制御部と、
前記表示制御部によるスクロール表示を停止させる停止指示を受け付ける停止指示受付部と、
前記スクロール表示時のスクロール表示速度を検出する速度検出部とを備え、
前記表示制御部は、前記各画像のスクロール表示中に、前記停止指示受付部に停止指示が受け付けられたとき、この時点で前記スクロール表示により順次表示されている画像を、予め定められた個数分だけ戻して表示させた状態で、当該スクロール表示を停止させ、
前記表示制御部は、前記予め定められた個数を、前記停止指示受付部に停止指示が受け付けられたときに前記速度検出部により検出されるスクロール表示速度に応じて変化させる表示装置を備え、
前記画像記憶部に記憶されている各画像は、互いに階層が対応付けられた複数項目で構成され、
前記表示制御部は、前記表示部にスクロール表示させる各画像の項目を、前記速度検出部により検出されるスクロール表示速度が予め定められた速度に達したとき、当該スクロール表示中の各画像についてその最上位階層の項目のみを表示し、当該各画像のスクロール表示中に、前記停止指示受付部に停止指示が受け付けられたとき、この時点で前記スクロール表示されている最上位階層の項目が一致する各画像を、予め定められた個数分だけ戻し、各画像を構成する全ての項目を表示させた状態で、当該スクロール表示を停止させる電子機器。
【請求項２】
前記表示制御部が表示制御に用いる前記予め定められた個数分とは、前記停止指示受付部に停止指示が受け付けられた時点で前記スクロール表示されている最上位階層の項目が一致する各画像の中で、最先に表示される画像を先頭として並べて表示した状態で、当該スクロール表示を停止させる個数分である請求項１に記載の電子機器。
【発明の詳細な説明】
【技術分野】
【０００１】
本発明は、表示装置、表示制御プログラム、表示制御方法、及び画像形成装置に関し、特に、複数の画像を表示部に表示する技術に関する。
【背景技術】
【０００２】
従来から、電子機器では、下記特許文献１に示されるように、ＬＣＤ等からなる表示部の表示画面に複数の操作案内画像を表示するものが知られている。この電子機器では、当該表示画面に表示される複数の操作案内画像の中から操作者が所望の操作案内画像を選択する際の操作性を向上させるために、一部の操作案内画像がスクロール表示される。
【先行技術文献】
【特許文献】
【０００３】
【特許文献１】特開２００８−４６７７３号公報
【発明の概要】
【発明が解決しようとする課題】
【０００４】
しかしながら、上記特許文献１に示される電子機器の場合、上記スクロール表示により、画像選択時の操作性は向上するが、表示対象となる画像の数が多いと、スクロール表示時に操作者にとっての視認性が低下し、却って、操作者が所望の操作案内用画像を見付け難いという問題を有する。
【０００５】
本発明は、上記の問題を解決するためになされたもので、画像を表示部でスクロール表示する際に、操作者にとっての視認性を向上させ、操作者が所望の操作案内用画像を見付けやすくすることを目的とする。
【課題を解決するための手段】
【０００６】
本発明の請求項１に記載の発明は、画像を表示する表示部と、
前記表示部に表示させる画像を複数記憶する画像記憶部と、
前記画像記憶部に記憶されている各画像を前記表示部に順次スクロール表示させる表示制御部と、
前記表示制御部によるスクロール表示を停止させる停止指示を受け付ける停止指示受付部と、
前記スクロール表示時のスクロール表示速度を検出する速度検出部とを備え、
前記表示制御部は、前記各画像のスクロール表示中に、前記停止指示受付部に停止指示が受け付けられたとき、この時点で前記スクロール表示により順次表示されている画像を、予め定められた個数分だけ戻して表示させた状態で、当該スクロール表示を停止させ、
前記表示制御部は、前記予め定められた個数を、前記停止指示受付部に停止指示が受け付けられたときに前記速度検出部により検出されるスクロール表示速度に応じて変化させる表示装置を備え、
前記画像記憶部に記憶されている各画像は、互いに階層が対応付けられた複数項目で構成され、
前記表示制御部は、前記表示部にスクロール表示させる各画像の項目を、前記速度検出部により検出されるスクロール表示速度が予め定められた速度に達したとき、当該スクロール表示中の各画像についてその最上位階層の項目のみを表示し、当該各画像のスクロール表示中に、前記停止指示受付部に停止指示が受け付けられたとき、この時点で前記スクロール表示されている最上位階層の項目が一致する各画像を、予め定められた個数分だけ戻し、各画像を構成する全ての項目を表示させた状態で、当該スクロール表示を停止させる電子機器である。
【０００９】
操作者が所望の画像が表示された状態でスクロール表示が停止した表示画面を表示部に表示させたい場合、高速にスクロール表示が行われていると、所望の画像が表示されているときに操作者が停止指示受付部から停止指示を入力して、上記所望の表示状態としてスクロール表示を停止させることは困難であるが、上記各発明は、各画像のスクロール表示中に、当該スクロール表示を停止させる停止指示が受け付けられたとき、この時点でスクロール表示により順次表示されている画像を、予め定められた個数分だけ戻して表示させた状態で当該スクロール表示を停止させるので、所望の画像が表示されているときに操作者が停止指示受付部から停止指示を入力できず、当該停止指示の入力タイミングが遅れても、操作者所望の画像が表示部に表示されやすくなる。これにより、本発明によれば、画像を表示部でスクロール表示する際に、操作者にとっての視認性を向上させ、操作者が所望の操作案内用画像を見付けやすくすることができる。
【００１１】
この発明によれば、表示制御部は、スクロール表示を停止させる停止指示が受け付けられたときに速度検出部により検出される変化速度に応じて変化させた個数分だけ戻して、スクロール表示により順次表示されている画像を停止させるので、当該変化速度が速いほど、表示されている画像を多く戻してスクロール表示を停止する等の処理が可能になる。これにより、本発明によれば、画像を表示部でスクロール表示する際に、操作者にとっての視認性を更に向上させ、操作者が所望の操作案内用画像を見付けやすくすることができる。
【００１５】
この発明によれば、表示制御部は、上記スクロール表示速度が予め定められた速度に達したときは、各画像について最上位階層の項目のみを表示するので、表示部に各画像が更に高速にスクロール表示される場合であっても、操作者が各画像の属性や種別を識別しやすいように、各画像について表示対象とされる情報量が絞られる。これにより、上記各画像が高速にスクロール表示される場合であっても、操作者は、表示部に表示される各画像から所望の画像を特定しやすくなる。また、スクロール表示の停止時には、各画像を構成する全ての項目を表示させた状態になるので、表示されている画像の内容を操作者が識別しやすい状態にあるときは、操作者が十分に各画像の内容を把握できる。
【００１６】
また、請求項２に記載の発明は、請求項１に記載の電子機器であって、前記表示制御部が表示制御に用いる前記予め定められた個数分とは、前記停止指示受付部に停止指示が受け付けられた時点で前記スクロール表示されている最上位階層の項目が一致する各画像の中で、最先に表示される画像を先頭として並べて表示した状態で、当該スクロール表示を停止させる個数分であるものである。
【００１７】
この発明によれば、スクロール表示の停止時には、停止指示受付部に停止指示が受け付けられた時点でスクロール表示されている最上位階層の項目が一致する各画像の中で、最先に表示される画像を先頭として並べて表示した状態になるので、最上位階層の項目が一致する各画像のそれぞれの内容を操作者が十分に把握できる。
【発明の効果】
【００２０】
本発明によれば、画像を表示部でスクロール表示する際に、操作者にとっての視認性を向上させ、操作者が所望の操作案内用画像を見付けやすくすることができる。
【図面の簡単な説明】
【００２１】
【図１】本発明の一実施形態に係る画像形成装置の一例である複合機の構成を示す側面概略図である。
【図２】操作部の部分拡大図である。
【図３】図１に示す複合機の制御ブロック図である。
【図４】複合機による表示部の表示制御処理の第１実施形態を示すフローチャートである。
【図５】表示部の表示画面の一例を示す図である。
【図６】（ａ）（ｂ）は表示部の表示画面の一例を示す図である。
【図７】複合機による表示部の表示制御処理の第２実施形態を示すフローチャートである。
【図８】（ａ）（ｂ）（ｃ）は表示部の表示画面の一例を示す図である。
【図９】（ａ）（ｂ）は表示部の表示画面の一例を示す図である。
【図１０】複合機による表示部の表示制御処理の第３実施形態を示すフローチャートである。
【図１１】（ａ）（ｂ）は表示部の表示画面の一例を示す図である。
【図１２】複合機による表示部の表示制御処理の第４実施形態を示すフローチャートである。
【図１３】（ａ）（ｂ）（ｃ）は表示部の表示画面の一例を示す図である。
【図１４】複合機による表示部の表示制御処理の第５実施形態を示すフローチャートである。
【図１５】（ａ）（ｂ）は表示部の表示画面の一例を示す図である。
【図１６】（ａ）（ｂ）は表示部の表示画面の一例を示す図である。
【図１７】複合機による表示部の表示制御処理の第６実施形態を示すフローチャートである。
【図１８】（ａ）（ｂ）（ｃ）は表示部の表示画面の一例を示す図である。
【図１９】複合機による表示部の表示制御処理の第７実施形態を示すフローチャートである。
【図２０】（ａ）（ｂ）（ｃ）は表示部の表示画面の一例を示す図である。
【図２１】複合機による表示部の表示制御処理の第８実施形態を示すフローチャートである。
【図２２】（ａ）（ｂ）は表示部の表示画面の一例を示す図である。
【図２３】複合機による表示部の表示制御処理の第９実施形態を示すフローチャートである。
【図２４】（ａ）乃至（ｄ）は表示部の表示画面の一例を示す図である。
【図２５】複合機による表示部の表示制御処理の第１０実施形態を示すフローチャートである。
【図２６】表示部の表示画面の一例を示す図である。
【図２７】複合機による表示部の表示制御処理の第１１実施形態を示すフローチャートである。
【図２８】（ａ）（ｂ）は表示部の表示画面の一例を示す図である。
【図２９】複合機による表示部の表示制御処理の第１２実施形態を示すフローチャートである。
【図３０】（ａ）乃至（ｄ）は表示部の表示画面の一例を示す図である。
【図３１】複合機による表示部の表示制御処理の第１３実施形態を示すフローチャートである。
【図３２】（ａ）乃至（ｄ）は表示部の表示画面の一例を示す図である。
【図３３】複合機による表示部の表示制御処理の第７実施形態の変型例を示すフローチャートである。
【図３４】（ａ）（ｂ）（ｃ）（ｄ）は表示部の表示画面の一例を示す図である。
【発明を実施するための形態】
【００２２】
以下、本発明に係る表示装置、これを備えた画像形成装置、表示制御プログラム、表示制御方法について説明する。図１は、本発明の一実施形態に係る画像形成装置の一例である複合機の構成を示す側面概略図である。図２は、操作部４００の部分拡大図である。複合機１は、スキャナ機能、ファクシミリ機能、プリンタ機能、コピー機能等を兼ね備えている。複合機１は、本体部２００と、本体部２００の用紙搬出側、例えば左側に配設された用紙後処理部３００と、操作者が種々の操作指令等を入力するための操作部４００と、本体部２００の上部に配設された原稿読み取り部５００と、原稿読み取り部５００の上部に配設された原稿給送部６００とから構成される。
【００２３】
図２にも示すように、操作部４００は、ＬＣＤ（Liquid Crystal Display）等からなる表示部４１０と、操作者から操作指示が入力される操作キー部４３０を備える。操作キー部４３０は、ヘルプキー４３１、スタートキー４３２、テンキー４３３、及び機能切換キー４３４等を備える。
【００２４】
ヘルプキー４３１は、操作者から、スキャナ機能、ファクシミリ機能、プリンタ機能、コピー機能等に関する各操作方法を表示する操作案内画面（ヘルプ画面）を表示部４１０に表示させる指示を受け付けるものである。
【００２５】
スタートキー４３２は、コピー動作やスキャン動作等の各動作を開始させる指示を操作
者から受け付ける。テンキー４３３は、コピー部数を指定する指示等を操作者から受け付けるキーである。機能切換キー４３４は、コピー機能、送信機能（スキャナ機能、ファクシミリ機能等）、ボックス機能（後述するＨＤＤ７４内に設けられている操作者毎の記憶領域（メールボックス）に記憶されているデータを読み出してプリントする機能）等を相互に切り替える機能切換指示を操作者から受け付けるキーである。
【００２６】
表示部４１０は、ＬＣＤ（Liquid Crystal Display）等からなり、タッチパネルを組み合わせたタッチパネルユニット等を備えている。表示部４１０は、種々の操作画面を表示すると共に、操作者が表示面（表示されている操作キー）をタッチすることで種々の機能の実行指令を入力することが可能とされている。
【００２７】
原稿給送部６０は、原稿載置部６０１、給紙ローラ６０２、原稿搬送部６０３及び原稿排出部６０４を備え、原稿読み取り部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００２８】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００２９】
感光体ドラム２０４は、矢印方向に回転しながら帯電装置（図示省略）によって一様に帯電される。露光装置２０６は、原稿読み取り部５００において読み取られた原稿の画像に応じて変調されたレーザ光を感光体ドラム２０４上に走査し、ドラム表面に各色毎の静電潜像を形成する。現像装置２０７は、黒色の現像剤を感光体ドラム２０４に供給してトナー画像を形成する。
【００３０】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００３１】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００３２】
図３は、図１に示す複合機の制御ブロック図である。複合機１は、スキャナ部１１、画像処理部２１、プリンタ部３１、操作部４００、制御部５１、ネットワークＩ／Ｆ（インターフェース）部７１、ＨＤＤ（ハードディスクドライブ）７４、及びファクシミリ通信部７５を備える。
【００３３】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像を画像処理部２１へ出力する。
【００３４】
画像処理部２１は、補正部２２、画像加工部２３及び画像メモリ２４を含む。画像処理部２１は、読み取られた画像を必要に応じて補正部２２及び画像加工部２３により処理する。画像処理部２１によって処理された画像は印刷用に画像メモリ２４に記憶され、又はプリンタ部３１に出力される。補正部２２は、読み取られた画像に対してレベル補正、γ補正等の所定の補正処理を行う。画像加工部２３は、画像の圧縮又は伸張処理、及び拡大又は縮小処理等の種々の加工処理を行う。
【００３５】
プリンタ部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。プリンタ部３１は、スキャナ部１１により読み取られた原稿データを用いて画像を記録紙に印刷する。具体的には、用紙搬送部３２は記録紙を画像形成部３３へ搬送し、画像形成部３３は上記の画像に対応するトナー像を形成し、転写部３４はトナー像を記録紙に転写し、定着部３５はトナー像を記録紙に定着させて画像を形成する。
【００３６】
ネットワークＩ／Ｆ部７１は、ネットワークインタフェース（10/100Base-TX）等を用
い、ＬＡＮを介して外部装置との間での種々のデータの送受信を制御する。
【００３７】
ＨＤＤ７４は、スキャナ部１１によって読み取られた画像及び当該画像に設定されている出力形式等を記憶する。
【００３８】
操作部４００は、図１及び図２に示したように表示部４１０、操作キー部４３０を備える。表示部４１０は、タッチパネル機能により各種指示の入力を受け付ける複数のキーを表示制御部５２２による制御の下で表示する。操作キー部４３０には、図２に示した機能切換キー４３４、スタートキー４３２、テンキー４３３等が設けられている。制御部５１のＣＰＵ５２は、上記表示部４１０及び操作部４００の各キーから、操作者によって入力された指示を受け付ける。
【００３９】
表示部４１０に設けられているタッチパネル（座標位置指定部）４１０１は、操作者による表示部４１０の表示画面へのタッチ操作に基づいて、当該操作者のタッチにより指定された表示部４１０表示領域における座標位置を操作者から受け付ける。
【００４０】
ファクシミリ通信部７５は、符号化／復号化部（図示省略）、変復調部（図示省略）及びＮＣＵ（Network Control Unit）（図示省略）を含む。ファクシミリ通信部７５は、スキャナ部１１によって読み取られた原稿の画像データを、電話回線を介してファクシミリ装置等へ送信したり、ファクシミリ装置等から送信された画像データを受信したりする。符号化／復号化部は、送信する画像データを圧縮・符号化し、受信した画像データを伸長・復号化する。変復調部は、圧縮・符号化された画像データを音声信号に変調し、受信した信号（音声信号）を画像データに復調する。ＮＣＵは、送受信先となるファクシミリ装置等との電話回線による接続を制御する。
【００４１】
制御部５１は、ＣＰＵ５２と、画像記憶部５３とを備える。ＣＰＵ５２は、複合機１の動作制御を司るものである。画像記憶部５３は、操作者に対する操作案内を表示するための各種データや上述した指示受付用画像の画像データ、更に、スキャナ機能、ファクシミリ機能、プリンタ機能、コピー機能等の各機能の動作状況やその重要度を表示するための画像データ（画像、文字、記号等の各データを含む）を記憶している。
【００４２】
ＣＰＵ５２は、動作制御部５２１、表示制御部５２２、指示受付部５２３、速度検出部５２４、停止指示受付部５２５、及び再開指示受付部５２６を備える。
【００４３】
動作制御部５２１は、複合機１の各部（スキャナ部１１，画像処理部２１、プリンタ部３１等）の動作制御を司る。
【００４４】
表示制御部５２２は、表示部４１０の表示動作を制御する。表示制御部５２２は、操作案内画面の表示や、各動作状況及び重要度の表示に必要な画像データを画像記憶部５３から読み出して表示部４１０に表示させる。また、表示制御部５２２は、画像記憶部５３に記憶されている指示受付用画像を表示部４１０に順次スクロール表示させる制御を行う。なお、表示制御部５２２は、この他にも種々の処理を行うが、当該処理の詳細はフローチャート等を用いた説明により後述する。
【００４５】
指示受付部５２３は、タッチパネル４１０１で指定が受け付けられた座標位置の情報を、当該タッチパネル４１０１から取得して当該座標位置に表示されている指示受付用画像を検出し、当該検出した指示受付用画像に対応付けられている指示を特定して、この特定した指示の入力を受け付ける。また、指示受付部５２３は、この他にも種々の処理を行うが、当該処理の詳細はフローチャート等を用いた説明により後述する。
【００４６】
速度検出部５２４は、タッチパネル４１０１で指定される座標位置が変化したとき、変化前後の座標位置に基づいて算出した変化量と、先に座標位置が指定された時刻と、これに続いて後に座標位置が指定された時刻までの時間に基づいて、先に指定された座標位置からこれに続いて後に座標位置に変化する変化速度を算出することにより、操作者により指定される座標位置の変化速度を検出する。
【００４７】
タッチパネル４１０１で指定される座標位置の変化後の座量を x、 変化量を dxとし、変化後の座量される時間を t、変化前からの経過時間を dt とすると、このとき、速度検出部５２４は、変化速度 v をdx/dt により算出する。例えば、変化開始点の座標位置：１（設定値１）でｘ＝１、座標位置の変化終了点：３（設定値３）でｘ＝３、経過時間 dt ＝ ０．５の場合、速度検出部５２４によって算出される変化速度 v は４ になる。
【００４８】
速度検出部５２４は、タッチパネル４１０１で指定される変化前後の座標位置に基づいて、当該座標位置の変化方向及び変化速度を検出する。さらに好ましくは、速度検出部５２４は、表示制御部５２４によるスクロール表示時のスクロール表示速度を、当該表示制御部５２４から取得する速度情報に基づいて検出する。なお、速度検出部５２４による処理をこれらに限定する趣旨ではない（特に示さない限り、処理を限定しない旨は、動作制御部５２１、表示制御部５２２、指示受付部５２３、速度検出部５２４、停止指示受付部５２５、及び再開指示受付部５２６の各部について同様）。
【００４９】
停止指示受付部５２５は、表示制御部５２２によるスクロール表示を停止させる停止指示を受け付ける。停止指示受付部５２５は、例えば、表示制御部５２２によるスクロール表示中に、当該スクロール表示されている指示受付用画像のいずれかの表示位置の座標位置の指定がタッチパネル４１０１により受け付けられた場合に、当該指定を操作者からの停止指示として受け付ける。
【００５０】
再開指示受付部５２６は、停止されたスクロール表示を再開させる指示を、操作者によるタッチパネル４１０１の操作に基づいて受け付けるものである。
【００５１】
また、本発明の一実施形態に係る表示制御プログラムは、ＨＤＤ７４等の複合機１内の記憶媒体に記憶されており、ＣＰＵ５２が当該表示制御プログラムに従って動作制御を行うことで、上記動作制御部５２１、表示制御部５２２、指示受付部５２３、速度検出部５２４、停止指示受付部５２５、及び再開指示受付部５２６として機能する。この表示制御プログラムは、ＣＤ−ＲＯＭ又はＤＶＤからの読込、或いは、ネットワークＩ／Ｆ７１によるインターネット上のサーバからダウンロードにより、ＨＤＤ７４等に記憶される。
【００５２】
但し、上記動作制御部５２１、表示制御部５２２、指示受付部５２３、速度検出部５２４、停止指示受付部５２５、及び再開指示受付部５２６は、ＣＰＵ５２が上記表示制御プログラムに従って動作制御することで実現されるものに限られず、上記動作制御部５２１、表示制御部５２２、指示受付部５２３、速度検出部５２４、停止指示受付部５２５、及び再開指示受付部５２６が回路等によりハード的に備えられていてもよい。
【００５３】
また、本発明の一実施形態に係る表示装置は、上記ＣＰＵ５１（動作制御部５２１、表示制御部５２２、指示受付部５２３、速度検出部５２４、停止指示受付部５２５、及び再開指示受付部５２６のうちの所要部）と、表示部４１０と、タッチパネル４１０１と、画像記憶部５３とを備えてなる。上記のように、動作制御部５２１、表示制御部５２２、指示受付部５２３、速度検出部５２４、停止指示受付部５２５、及び再開指示受付部５２６は、ＣＰＵ５２が上記表示制御プログラムに従って動作制御することで実現される場合には、本発明の一実施形態に係る表示装置は、当該表示制御プログラムが記憶されたＨＤＤ７４等も備える。
【００５４】
次に、複合機１による表示部４１０の表示制御処理の第１実施形態について説明する。図４は、複合機１による表示部４１０の表示制御処理の第１実施形態を示すフローチャートである。図５，図６（ａ）（ｂ）は表示部４１０の表示画面の一例を示す図である。
【００５５】
複合機１の主電源が操作者によってオンにされると、表示制御部５２２は、表示部４１０に図５に示すような操作画面（初期画面Ａ）を表示させる（Ｓ１）。本実施形態では、表示制御部５２２は、初期画面Ａの一例として、表示部４１０に、コピー機能の動作条件が設定可能な表示画面を表示させる。
【００５６】
表示制御部５２２が、表示部４１０に初期画面Ａを表示させているときに、操作者により、例えば、濃度ボタン４１０ａがタッチされることで、タッチパネル４１０１及び指示受付部５２３によりコピー濃度の設定指示が受け付けられると、表示制御部５２２は、図６（ａ）に示すような濃度設定ボタン４１０ｂ（濃度設定画面の一部）を表示部４１０に表示させる。
【００５７】
表示制御部５２２が、濃度設定ボタン４１０ｂを表示させているとき、操作者が、当該濃度設定ボタン４１０ｂを構成するボタン４１０ｂ１〜４１０ｂ５のいずれかをタッチして、タッチパネル４１０１により、ボタン４１０ｂ１〜４１０ｂ５のいずれかの表示位置の座標位置の指定が受け付けられると（Ｓ２でＹＥＳ）、指示受付部５２３は、タッチパネル４１０１から当該指定された座標位置の情報を取得し、指示受付部５２３が自ら内蔵するタイマにより当該座標位置指定時からの経過時間を計測する（Ｓ３）。なお、タッチパネル４１０１によりボタン４１０ｂ１〜４１０ｂ５のいずれかの表示位置の座標位置の指定が受け付けられない場合は（Ｓ２でＮＯ）、Ｓ１の処理が繰り返される。
【００５８】
ここで、指示受付部５２３によって計測される時間が予め定められた経過時間（例えば、0.5秒）に達しても、タッチパネル４１０１により次の座標位置の指定が受け付けられない場合（Ｓ３でＹＥＳ）、すなわち、操作者がボタン４１０ｂ１〜４１０ｂ５のいずれかの表示位置の座標位置で指を止めている場合は、当該座標位置に表示されている指示受付用画像（ボタン４１０ｂ１〜４１０ｂ５のいずれか）に対応する指示が指示受付部５２３により受け付けられる（Ｓ１３）。
【００５９】
一方、Ｓ３において、指示受付部５２３によって計測される時間が予め定められた経過時間に達しない間に（Ｓ３でＮＯ）、更なる座標位置がタッチパネル４１０１により受け付けられた場合は（Ｓ４でＹＥＳ）、速度検出部５２４が、当該変化前後の座標位置に基づいて変化速度を検出する（Ｓ５）。
【００６０】
ここで、指示受付部５２３は、Ｓ５で速度検出部５２４により検出された変化速度に応じて、Ｓ４でタッチパネル４１０１に受け付けられた座標位置が示す表示位置に表示されているボタン（ボタン４１０ｂ１〜４１０ｂ５のいずれか。以下、拡大ボタンと称する）に対応付けられた指示の入力を受け付ける領域を拡大する（Ｓ６）。
【００６１】
指示受付部５２３は、例えば、図６（ｂ）に示すように、操作者が矢印方向に示すように座標位置の指定を変化させており、Ｓ４で受け付けられた座標位置が示す表示位置に表示されているボタンがボタン４１０ｂ３である場合、当該ボタン４１０ｂ３に対応付けられた指示の入力を受け付ける指示入力受付領域を、上記矢印方向側に隣接するボタン４１０ｂ４の表示領域まで拡大する。
【００６２】
上記拡大される指示入力受付領域の面積は、指示受付部５２３が、Ｓ５で速度検出部５２４により検出された変化速度に応じて変化させる。例えば、Ｓ５で速度検出部５２４により検出された変化速度が予め定められた速度（例えば、上述した例において、速度V=dx/dt=4。但し、当該速度を限定する趣旨ではない）に達している場合には、当該変化速度が速いほど指示入力受付領域を拡大させる面積を増大させ、Ｓ５で速度検出部５２４により検出された変化速度が上記予め定められた速度未満である場合には、指示入力受付領域を拡大させないようにする等の処理を指示受付部５２３が行うことが好ましい。
【００６３】
指示受付部５２３は、当該ボタンの指示入力領域の拡大処理時からの経過時間を計測する（Ｓ７）。指示受付部５２３によって計測される時間が予め定められた経過時間（例えば、0.5秒）に達しても、タッチパネル４１０１により次の座標位置の指定が受け付けられない場合（Ｓ７でＹＥＳ）、すなわち、操作者がＳ４でタッチパネル４１０１に受け付けられた座標位置で指を止めている場合は、当該座標位置に表示されているボタンに対応する指示が指示受付部５２３により受け付けられる（Ｓ１３）。
【００６４】
他方、指示受付部５２３によって計測される時間が上記予め定められた経過時間に達する前に（Ｓ７でＮＯ）、タッチパネル４１０１により次の座標位置の指定が受け付けられた場合（Ｓ８でＹＥＳ）、指示受付部５２３は、当該座標位置の指定が受け付けられた時点からの経過時間を計測する（Ｓ９）。
【００６５】
ここで、指示受付部５２３によって計測される時間が予め定められた経過時間（例えば、0.5秒）に達しても、タッチパネル４１０１により更なる次の座標位置の指定が受け付けられない場合は（Ｓ９でＹＥＳ）、指示受付部５２３は、Ｓ８で指定された座標位置が上記拡大された指示入力領域の範囲内の座標位置であるかを判断する（Ｓ１０）。
【００６６】
指示受付部５２３は、Ｓ８で指定された座標位置が上記拡大された指示入力領域の範囲内の座標位置ではないと判断した場合は（Ｓ１０でＮＯ）、当該Ｓ８で指定された座標位置に本来表示されているボタンに対応する指示が、指示受付部５２３により受け付けられる（Ｓ１３）。
【００６７】
指示受付部５２３は、Ｓ８で指定された座標位置が上記拡大された指示入力領域の範囲内の座標位置であると判断した場合は（Ｓ１０でＹＥＳ）、上記拡大ボタンに対応付けられた指示の入力を受け付ける（Ｓ１１）。すなわち、指示受付部５２３は、上記のように、拡大ボタンに対応する指示を受け付ける指示入力領域を拡大した場合には、当該拡大された指示入力領域に表示されている元々のボタン（上記拡大ボタンではない）に対応付けられた指示の入力を、上記予め定められた期間は受け付けない。
【００６８】
指示受付部５２３は、例えば、図６（ｂ）に示すように、ボタン４１０ｂ３に対応付けられた指示の入力を受け付ける指示入力受付領域をボタン４１０ｂ４の表示領域まで拡大した場合、当該拡大されたボタン４１０ｂ３の指示入力受付領域においては、ボタン４１０ｂ４に対応付けられた指示の入力は、上記予め定められた期間は受け付けない。
【００６９】
また、Ｓ９において、指示受付部５２３によって計測される時間が上記予め定められた経過時間に達する前に（Ｓ９でＮＯ）、タッチパネル４１０１により更なる次の座標位置の指定が受け付けられた場合は（Ｓ１２でＹＥＳ）、処理はＳ５に戻り、再びＳ５以降の処理が行われる。なお、タッチパネル４１０１により更なる次の座標位置の指定が受け付けられない場合は（Ｓ１２でＮＯ）、Ｓ９の処理に戻る。
【００７０】
なお、上記では、指示受付部５２３がＳ５で速度検出部５２４により検出された変化速度に応じた大きさに、Ｓ４でタッチパネル４１０１に受け付けられた座標位置が示す表示位置に表示されているボタンに対応付けられた指示の入力を受け付ける領域を拡大するとき（Ｓ６）、指示受付部５２３によって計測される時間が予め定められた経過時間に達しても、タッチパネル４１０１により次の座標位置の指定が受け付けられない場合は（Ｓ７でＹＥＳ）、すなわち、操作者がＳ４でタッチパネル４１０１に受け付けられた座標位置で指を止めている場合は、当該座標位置に表示されているボタンに対応する指示が指示受付部５２３により受け付けられるようにして（Ｓ１３）、指示受付部５２３は、速度検出部５２４により検出される変化速度に応じた大きさに、当該指定された座標位置に表示されているボタンに対応付けられた指示の入力を受け付ける領域を、予め定められた期間だけ拡大するが、指示受付部５２３は、当該予め定められた期間を、このように速度検出部５２４により検出される変化速度に応じて変化させるようにしてもよい。例えば、指示受付部５２３は、Ｓ５で速度検出部５２４によって検出される変化速度が予め定められた速度（例えば、上述した例において、速度V=dx/dt=4。但し、当該速度を限定する趣旨ではない）に達している場合には、当該変化速度が速いほど当該予め定められた期間を長くする等の処理を行うようにしてもよい。
【００７１】
次に、複合機１による表示部４１０の表示制御処理の第２実施形態について説明する。図７は、複合機１による表示部４１０の表示制御処理の第２実施形態を示すフローチャートである。図８（ａ）（ｂ）（ｃ），図９（ａ）（ｂ）は表示部４１０の表示画面の一例を示す図である。なお、上述した第１実施形態と同様の処理は説明を省略する。
【００７２】
この第２実施形態では、指示受付部５２３が、Ｓ２５で速度検出部５２４により検出された変化速度に応じて、Ｓ２４でタッチパネル４１０１に受け付けられた座標位置が示す表示位置に表示されているボタン（拡大ボタン）に対応付けられた指示の入力を受け付ける領域を拡大する際（Ｓ２６）、これに伴って、表示制御部５２２は、当該拡大された指示入力領域の全領域に、Ｓ２４でタッチパネル４１０１に受け付けられた座標位置が示す表示位置に表示されているボタン（拡大ボタン）の画像を表示する（Ｓ２７）。
【００７３】
例えば、図８（ｂ）に示すように、操作者が矢印方向に示すように座標位置の指定を変化させており、Ｓ２４で受け付けられた座標位置が示す表示位置に表示されているボタンがボタン４１０ｂ３である場合であって、指示受付部５２３により、当該ボタン４１０ｂ３に対応付けられた指示の入力を受け付ける指示入力受付領域が、上記矢印方向側に隣接するボタン４１０ｂ４の表示領域まで拡大される場合、表示制御部５２２は、当該ボタン４１０ｂ４の表示領域にまで拡大されるボタン４１０ｂ３の指示入力受付領域については、ボタン４１０ｂ４の画像に代えて、ボタン４１０ｂ３の画像を表示させる。
【００７４】
なお、図８（ｃ）に示すように、例えば、操作者が矢印方向に示すように座標位置の指定を変化させており、Ｓ２４で受け付けられた座標位置が示す表示位置に表示されているボタンがボタン４１０ｂ３である場合、指示受付部５２３による上記指示入力領域の拡大は、操作者が座標位置の指定を変化させる矢印方向に限られず、図８（ｃ）における上下方向や斜め方向に向けて行ってもよい。この場合も、表示制御部５２２は、当該拡大される指示入力受付領域の全域にボタン４１０ｂ３の画像を表示させ、ボタン４１０ｂ４の表示領域に拡大されるボタン４１０ｂ３の指示入力受付領域については、ボタン４１０ｂ４の画像に代えて、ボタン４１０ｂ３の画像を表示させる。
【００７５】
上記表示制御部５２２によるＳ２７の表示処理により、操作者は、本来指定したい所望の指示受付用画像（上記図８（ｂ）（ｃ）の例におけるボタン４１０ｂ３）が視認しやすくなり、当該所望の指示受付用画像に対応付けられた指示を的確に入力することが可能になる。
【００７６】
なお、表示制御部５２２が上記Ｓ２７の表示処理を行って、図８（ｂ）（ｃ）に示すように、当該拡大される指示入力受付領域の全域にボタン４１０ｂ３の画像を表示させる場合、例えば、図９（ａ）（ｂ）に示すように、ボタン４１０ｂ４の表示領域に拡大される指示入力受付領域についてはボタン４１０ｂ３の画像を表示させつつ、当該ボタン４１０ｂ３の画像に対して、ボタン４１０ｂ４の画像を透過表示させるようにしてもよい。
【００７７】
次に、複合機１による表示部４１０の表示制御処理の第３実施形態について説明する。図１０は、複合機１による表示部４１０の表示制御処理の第３実施形態を示すフローチャートである。図１１（ａ）（ｂ）は表示部４１０の表示画面の一例を示す図である。
【００７８】
当該第３実施形態は、表示制御部５２２が、表示部４１０に、指示受付用画像をスクロール表示させる場合の表示処理である。
【００７９】
複合機１の主電源が操作者によってオンにされると、表示制御部５２２は、表示部４１０に図５に示したような操作画面（初期画面Ａ）を表示させる（Ｓ４１）。表示制御部５２２が、表示部４１０に初期画面Ａを表示させているときに、操作者により、例えば、濃度ボタン４１０ａがタッチされることで、タッチパネル４１０１及び指示受付部５２３によりコピー濃度の設定指示が受け付けられると、表示制御部５２２は、図１１（ａ）に示すような濃度設定ボタン４１０ｂ（濃度設定画面の一部）を表示部４１０に表示させる。
【００８０】
表示制御部５２２が、濃度設定ボタン４１０ｂを表示させているとき、操作者が、当該濃度設定ボタン４１０ｂを構成するボタン４１０ｂ１〜４１０ｂ５のいずれかをタッチして、タッチパネル４１０１により、ボタン４１０ｂ１〜４１０ｂ５のいずれかの表示位置の座標位置の指定が受け付けられると（Ｓ４２でＹＥＳ）、指示受付部５２３は、タッチパネル４１０１から当該指定された座標位置の情報を取得し、指示受付部５２３が自ら内蔵するタイマにより当該座標位置指定時からの経過時間を計測する（Ｓ４３）。なお、タッチパネル４１０１によりボタン４１０ｂ１〜４１０ｂ５のいずれかの表示位置の座標位置の指定が受け付けられない場合は（Ｓ４２でＮＯ）、Ｓ４１の処理が繰り返される。
【００８１】
ここで、指示受付部５２３によって計測される時間が予め定められた経過時間（例えば、0.5秒）に達しても、タッチパネル４１０１により次の座標位置の指定が受け付けられない場合（Ｓ４３でＹＥＳ）、すなわち、操作者がボタン４１０ｂ１〜４１０ｂ５のいずれかの表示位置の座標位置で指を止めている場合は、当該座標位置に表示されている指示受付用画像（ボタン４１０ｂ１〜４１０ｂ５のいずれか）に対応する指示が指示受付部５２３により受け付けられる（Ｓ４３）。
【００８２】
一方、Ｓ４３において、指示受付部５２３によって計測される時間が予め定められた経過時間に達しない間に（Ｓ４３でＮＯ）、更なる座標位置がタッチパネル４１０１により受け付けられた場合は（Ｓ４４でＹＥＳ）、速度検出部５２４が、当該変化前後の座標位置に基づいて変化方向を検出する（Ｓ４５）。さらに、速度検出部５２４は、当該変化前後の座標位置に基づいて変化速度を検出する（Ｓ４６）。
【００８３】
そして、表示制御部５２２は、Ｓ４６で速度検出部５２４により検出された変化速度に応じて、上記スクロール表示の対象となる複数の指示受付用画像のうちの少なくとも１つの指示受付用画像の表示形態を、他の指示受付用画像とは異ならせて設定する（Ｓ４７）。当該他の指示受付用画像とは異ならせる表示形態は、画像の大きさ、画像の輝度、画像の色彩等、種々の表示形態を採用することが可能である。
【００８４】
例えば、図１１（ａ）に示すように、表示制御部５２２は、表示部４１０に、複数のボタン４１０ｂ１〜４１０ｂ９（図１１（ａ）では、複数のボタン４１０ｂ１〜４１０ｂ９のうち５つのボタンが同時に表示部４１０に表示される例を示している。この図１１（ａ）では、ボタン４１０ｂ６〜４１０ｂ９は非表示となっている）を並列させてスクロール表示させる場合、当該同時に並列表示する５つのボタンについて、図１１（ｂ）に示すように、当該並び方向の中心部に近付くにつれて各ボタンの画像を大きくスクロール表示されるように設定し、少なくとも、最大表示する図１１（ｂ）では中心部のボタン４１０ｂ１を、上記Ｓ４６で速度検出部５２４により検出される変化速度に応じて拡大した大きさ（例えば、上記Ｓ４６で速度検出部５２４により検出される変化速度が速いほど拡大率を大きくする）に設定する。但し、表示制御部５２２は、当該同時に並列表示する５つのボタンの全て、或いは、当該同時に並列表示する５つのボタンの任意に抽出したボタンについて、上記Ｓ４６で速度検出部５２４により検出された変化速度に応じて拡大した大きさに設定してもよい。
【００８５】
表示制御部５２２は、このようにして設定した表示形態を用いて、表示の対象とする複数の指示受付用画像（ボタン４１０ｂ１〜４１０ｂ９）を、Ｓ４５で速度検出部５２４により検出された変化方向に向けて表示部４１０にスクロール表示させる（Ｓ４８）。例えば、図１１（ｂ）に示すように、Ｓ４５で速度検出部５２４により検出された変化方向が矢印方向である場合、表示制御部５２２は、当該矢印方向に向けてボタン４１０ｂ１〜４１０ｂ９の各画像が５つずつ表示部４１０に表示されてスクロールするように、当該各画像を表示させる。
【００８６】
次に、複合機１による表示部４１０の表示制御処理の第４実施形態について説明する。図１２は、複合機１による表示部４１０の表示制御処理の第４実施形態を示すフローチャートである。図１３（ａ）（ｂ）（ｃ）は表示部４１０の表示画面の一例を示す図である。当該第４実施形態も、第３実施形態と同様に、表示制御部５２２が、表示部４１０に、指示受付用画像をスクロール表示させる場合の表示処理である。なお、上述した第３実施形態と同様の処理は説明を省略する。
【００８７】
この第４実施形態では、表示制御部５２２は、Ｓ５６で速度検出部５２４により検出された変化速度に応じて、上記スクロール表示の対象となる複数の指示受付用画像のうちの少なくとも１つの指示受付用画像の表示形態を他の指示受付用画像とは異ならせて設定する処理として、Ｓ５６で速度検出部５２４により検出された変化速度に応じて、表示部４１０に表示させる指示受付用画像の数を減少させる処理を採用する（Ｓ５７）。
【００８８】
例えば、図１３（ａ）に示すように、表示制御部５２２は、表示部４１０に、複数のボタン４１０ｂ１〜４１０ｂ９のうちの５つを並列させてスクロール表示させる場合（図１３（ａ）では、ボタン４１０ｂ６〜４１０ｂ９は非表示）、Ｓ５６で速度検出部５２４により検出された変化速度が予め定められた標準速度Ｓよりも速い予め定められた速度Ｓ１に達した場合、図１３（ｂ）に示すように、表示部４１０に同時に並列表示させるボタン数を例えば３つに減らす。さらに、Ｓ５６で速度検出部５２４により検出された変化速度が上記速度Ｓ１よりも更に速い予め定められた速度Ｓ２に達した場合、図１３（ｃ）に示すように、表示制御部５２２は、表示部４１０に同時に並列表示させるボタン数を、速度Ｓ１の場合よりも更に少ない例えば２つに減らす。これらの場合、表示制御部５２２は、表示対象とするボタンの画像の表示面積を並列表示領域において可能な限り大きく表示することが好ましい。
【００８９】
表示制御部５２２による当該表示制御により、スクロール表示が比較的速く行われる場合であっても、限られた領域である並列表示領域に指示受付用画像を大きく表示することで、スクロール表示時における操作者による各指示受付用画像に対する視認性を向上させることができる。
【００９０】
次に、複合機１による表示部４１０の表示制御処理の第５実施形態について説明する。図１４は、複合機１による表示部４１０の表示制御処理の第５実施形態を示すフローチャートである。図１５（ａ）（ｂ），図１６（ａ）（ｂ）は表示部４１０の表示画面の一例を示す図である。当該第５実施形態も、第３及び第４実施形態と同様に、表示制御部５２２が、表示部４１０に、指示受付用画像をスクロール表示させる場合の表示処理である。なお、上述した第３又は第４実施形態と同様の処理は説明を省略する。
【００９１】
この第５実施形態では、表示制御部５２２は、Ｓ６６で速度検出部５２４により検出された変化速度に応じて、上記スクロール表示の対象となる複数の指示受付用画像のうちの少なくとも１つの指示受付用画像の表示形態を他の指示受付用画像とは異ならせて設定する処理として、Ｓ６６で速度検出部５２４により検出された変化速度に応じて、並列表示する複数の指示受付用画像について、各指示受付用画像の大きさを維持した状態で、当該並び方向における中心部に近付くにつれて、各指示受付用画像内のキャラクタ（数字、文字、記号等）を大きく設定する処理を採用する（Ｓ６７）。このとき、表示制御部５２２は、少なくとも、最大表示する中心部の指示受付用画像内のキャラクタを、Ｓ６６で速度検出部５２４により検出された変化速度に応じて拡大した大きさとする。
【００９２】
例えば、図１５（ａ）に示すように、表示制御部５２２は、表示部４１０に、複数のボタン４１０ｂ１〜４１０ｂ９のうちの５つを並列させて矢印方向にスクロール表示させる場合（図１５（ａ）では、ボタン４１０ｂ６〜４１０ｂ９は非表示）、図１５（ｂ）に示すように、各ボタンの大きさを維持した状態で、当該並び方向における中心部に近付くにつれて各ボタンの画像内に表示されるキャラクタ（数字、文字、記号等）を大きく設定する処理を採用する（Ｓ６７）。
【００９３】
表示制御部５２２による当該表示制御により、操作者は、例えば当該変化速度が速くなった場合であっても、当該最大表示する中心部の指示受付用画像が示すキャラクタの視認性が向上するため、所望の指示受付用画像を特定しやすくなる。
【００９４】
また、表示制御部５２２は、上記Ｓ６７の処理として、各ボタン画像内のキャラクタを、Ｓ６６で速度検出部５２４により検出された変化速度に応じて拡大する際、当該拡大表示される各ボタン画像内のキャラクタをその字数を減らした略称に変換した上で拡大するようにしてもよい。例えば、図１６（ａ）に示すように、複数のボタン４１０ｂ１〜４１０ｂ９のうちの５つを並列させてスクロール表示させ、ボタン４１０ｂ１内のキャラクタが「京都一郎」、ボタン４１０ｂ２内のキャラクタが「大阪二郎」、ボタン４１０ｂ３内のキャラクタが「神戸三郎」、ボタン４１０ｂ４内のキャラクタが「奈良四郎」、ボタン４１０ｂ５内のキャラクタが「滋賀五郎」である場合、表示制御部５２２は、Ｓ６６で速度検出部５２４により検出された変化速度が予め定められた標準速度Ｓよりも速い予め定められた速度Ｓ１に達した場合、例えば、図１６（ｂ）に示すように、各ボタン内のキャラクタを、ボタン４１０ｂ１内のキャラクタが「KI」、ボタン４１０ｂ２内のキャラクタが「OG」、ボタン４１０ｂ３内のキャラクタが「KS」、ボタン４１０ｂ４内のキャラクタが「NS」、ボタン４１０ｂ５内のキャラクタが「SG」といった、元のキャラクタよりも字数を減らした略称とした上で上記拡大表示を行うようにしてもよい。
【００９５】
当該表示制御によれば、当該キャラクタは、表示文字数の減少により、指示受付用画像内に更に大きく拡大表示されることが可能になり、操作者は所望の指示受付用画像を更に特定しやすくなる。
【００９６】
次に、複合機１による表示部４１０の表示制御処理の第６実施形態について説明する。図１７は、複合機１による表示部４１０の表示制御処理の第６実施形態を示すフローチャートである。図１８（ａ）（ｂ）（ｃ）は表示部４１０の表示画面の一例を示す図である。当該第６実施形態も、表示制御部５２２が、表示部４１０に、指示受付用画像をスクロール表示させる場合の表示処理である。
【００９７】
例えば、図１８（ａ）に示すように、複合機１において、表示制御部５２２が、スキャナ部１１により読み取ったスキャンデータの送信先リストを示すリスト画像Ｌを表示する操作画面Ｂを表示部４１０に表示しているとき（Ｓ７１）、操作者がリスト画像Ｌの一部をなすスクロールボタンＳＲ１又はＳＲ２をタッチすると、タッチパネル４１０１及び指示受付部５２３により、スクロール表示指示が受け付けられる（Ｓ７２でＹＥＳ）。なお、タッチパネル４１０１及び指示受付部５２３によりスクロール表示指示が受け付けられない場合は（Ｓ７２でＮＯ）、Ｓ７１の処理が繰り返される。また、当該スクロール表示の方向は、例えば、図１８（ａ）における下から上の方向である（以下、スクロールボタンＳＲ１又はＳＲ２を用いてスクロール表示指示が行われる実施形態について同じ）。
【００９８】
このとき、例えば、速度検出部５２４は、操作者によりスクロールボタンＳＲ１又はＳＲ２がタッチされる時間の長短に応じて、リスト画像Ｌを構成する各送信先画像Ｌ1〜Ｌnをスクロールさせる速度を算出する（Ｓ７３）。例えば、速度検出部５２４は、操作者によりスクロールボタンＳＲ１又はＳＲ２がタッチされる時間が長い程、各送信先画像Ｌ1〜Ｌnをスクロールさせる速度を速くし、操作者によりスクロールボタンＳＲ１又はＳＲ２がタッチされる時間が短い程、各送信先画像Ｌ1〜Ｌnをスクロールさせる速度を遅くする。
【００９９】
なお、図１８（ａ）に示すように、各送信先画像Ｌ1〜Ｌnは、それぞれに階層が対応付けられた複数の項目を有する。本実施形態では、各送信先画像Ｌ1〜Ｌnは、当該項目として、上位階層から順に、「所属部署」「所属課」「所属係」「名前」の各項目を有している。すなわち、各送信先画像Ｌ1〜Ｌnは、「所属部署」「所属課」「所属係」「名前」の４項目で構成されている。
【０１００】
ここで、表示制御部５２２は、表示部４１０にスクロール表示させる各画像についての項目数を、Ｓ７３で速度検出部５２４により検出される変化速度が速くなるに連れて減少させ、当該変化速度が遅くなるに連れて増加させるようにして、表示部４１０にスクロール表示させる各画像についての項目数を算出する（Ｓ７４）。
【０１０１】
例えば、図１８（ａ）に示すように、表示制御部５２２は、表示部４１０に、複数の送信先画像Ｌ1〜Ｌnのうちの４つを図１８（ａ）における上下方向に並列させてスクロール表示させる場合（図１８（ａ）では、送信先画像Ｌ1〜Ｌ4以外は非表示）、Ｓ７３で速度検出部５２４により検出されたスクロール表示速度が予め定められた標準速度Ｓよりも速い予め定められた速度Ｓ１に達した場合、例えば、図１８（ｂ）に示すように、表示部４１０に表示させる各送信先画像についての表示項目数を３つに減らし、上位の階層から「所属部署」「所属課」「所属係」までを各送信先画像についての表示項目とする。さらに、Ｓ７３で速度検出部５２４により検出されたスクロール表示速度が上記速度Ｓ１よりも更に速い予め定められた速度Ｓ２に達した場合、図１８（ｃ）に示すように、表示制御部５２２は、表示部４１０に表示させる各送信先画像についての表示項目数を、速度Ｓ１の場合よりも更に少ない例えば２つに減らし、上位の階層から「所属部署」「所属課」までを各送信先画像についての表示項目とする。
【０１０２】
なお、Ｓ７４において、表示制御部５２２は、Ｓ７３で速度検出部５２４により検出されたスクロール表示速度が、速度Ｓ１及び速度Ｓ２よりも速い上記速度Ｅに達していると判断した場合には、図２６に示すように、スクロール表示の対象とされる例えば送信先画像Ｌ1〜Ｌnについてそれぞれ最上位の階層の項目のみを表示させた状態でスクロール表示を行うようにしてもよい。さらには、速度Ｅを速度Ｓ１及び速度Ｓ２とは無関係とし（すなわち、上記速度Ｓ１及び速度Ｓ２に基づいた表示制御は行わない）、表示制御部５２２は、Ｓ７３で速度検出部５２４により検出されたスクロール表示速度が、予め定められた標準速度Ｓよりも速い予め定められた速度Ｅに達した場合、上記Ｓ７４において、スクロール表示の対象とされる例えば送信先画像Ｌ1〜Ｌnについてそれぞれ最上位の階層の項目のみを表示させた状態でスクロール表示を行うようにしてもよい。
【０１０３】
これにより、操作者の画像視認性を低下させる高速の上記変化速度で上記画像がスクロール表示される場合には、各画像の項目数を減少させることで、操作者が視認する各画像についての情報量を減らし、高速スクロール表示時であっても操作者が各画像の内容を把握しやすくなる。また、操作者の画像視認性が低下しないと思われる低速の変化速度で上記画像がスクロール表示される場合は、各画像の項目数が増加されるので、操作者が視認する各画像についての情報量を減らすことなく、操作者が各画像の内容を十分に把握できる。
【０１０４】
次に、複合機１による表示部４１０の表示制御処理の第７実施形態について説明する。図１９は、複合機１による表示部４１０の表示制御処理の第７実施形態を示すフローチャートである。図２０（ａ）（ｂ）（ｃ）は表示部４１０の表示画面の一例を示す図である。当該第７実施形態も、表示制御部５２２が、表示部４１０に、指示受付用画像をスクロール表示させる場合の表示処理である。なお、上記第６実施形態と同様の処理は説明を省略する。
【０１０５】
第７実施形態では、表示制御部５２２は、送信先画像Ｌ1〜Ｌnを送信先画像同士での各項目の一致度合いが高いもの同士を連続させて表示部４１０にスクロール表示する。
【０１０６】
そして、速度検出部５２４が、操作者によりスクロールボタンＳＲ１又はＳＲ２がタッチされる時間の長短に応じて、リスト画像Ｌを構成する各送信先画像Ｌ1〜Ｌnをスクロールさせる速度を算出すると（Ｓ８３）、表示制御部５２２は、当該Ｓ８３で速度検出部５２４により検出された変化速度が予め定められた第１の速度Ａに達しているか否かを判断する（Ｓ８４）。
【０１０７】
表示制御部５２２が、上記Ｓ８３で速度検出部５２４により検出された変化速度が第１の速度Ａに達していないと判断した場合は（Ｓ８４でＹＥＳ）、図２０（ａ）に示すように、各送信先画像Ｌ1〜Ｌnについて全項目を表示させた状態で、各送信先画像Ｌ1〜Ｌnをスクロール表示させる（Ｓ８９）。
【０１０８】
一方、表示制御部５２２が、上記Ｓ８３で速度検出部５２４により検出された変化速度が第１の速度Ａに達していて、かつ、当該第１の速度Ａよりも速い速度である第２の速度Ｂまでは達していないと判断した場合は（Ｓ８４でＮＯ，Ｓ８５でＹＥＳ）、表示制御部５２２は、表示部４１０にスクロール表示させる各送信先画像Ｌ1〜Ｌnについての項目であって、隣接表示される各送信先画像同士で一致する項目は非表示としてスクロール表示を行う（Ｓ８６）。例えば、表示制御部５２２は、図２０（ａ）に示すように各送信先画像が表示される場合に、図２０（ｂ）に示すように、隣接表示される各送信先画像同士で一致する項目は非表示とする。
【０１０９】
他方、表示制御部５２２が、上記Ｓ８３で速度検出部５２４により検出された変化速度が上記第２の速度Ｂに達していると判断した場合は（Ｓ８４でＮＯ，Ｓ８５でＮＯ）、表示制御部５２２は、最上位階層の項目が一致する各送信先画像同士の中から予め定められた個数の画像を抽出して表示する（Ｓ９０）。例えば、表示制御部５２２は、図２０（ｃ）に示すように、最上位階層の項目が一致する各送信先画像の中で最も表示順が速い送信先画像のみを表示する。
【０１１０】
このように、本実施形態では、表示制御部５２２は、上記Ｓ８３で速度検出部５２４により検出された変化速度が、第１の速度Ａよりも速い第２の速度Ｂに達していると判断した場合（Ｓ８４でＮＯ，Ｓ８５でＮＯ）、すなわち、Ｓ８６の処理を行った後に上記Ｓ９０の処理を行うが、当該Ｓ９０の処理は、Ｓ８６の処理に代えて行うようにしてもよい。すなわち、Ｓ９０の処理を行う基準となる第２の速度Ｂは第１の速度Ａとは無関係とし、表示制御部５２２は、速度検出部５２４により検出された変化速度が当該第２の速度Ｂに達していると判断した場合に、最上位階層の項目が一致する各送信先画像同士の中から予め定められた個数の画像を抽出して表示する処理を行うものとしてもよい。
【０１１１】
これにより、操作者が各画像同士の違いを識別するために必要な各送信先画像同士の差異部分が抽出されて表示部４１０に表示される。これにより、上記各送信先画像が高速にスクロール表示される場合であっても、操作者は、表示部４１０に表示される各画像同士の違いを容易に識別することが可能になる。
【０１１２】
次に、複合機１による表示部４１０の表示制御処理の第７実施形態の変型例について説明する。図３３は、複合機１による表示部４１０の表示制御処理の第７実施形態の変型例を示すフローチャートである。図３４（ａ）（ｂ）（ｃ）（ｄ）は表示部４１０の表示画面の一例を示す図である。なお、上記図１９及び図２０を用いた第７実施形態と同様の処理は説明を省略する。
【０１１３】
当該変型例でも、表示制御部５２２は、送信先画像Ｌ1〜Ｌnを送信先画像同士での各項目の一致度合いが高いもの同士を連続させて表示部４１０にスクロール表示するが、この変型例では、表示制御部５２２が、速度検出部５２４により検出された変化速度が第２の速度Ｂに達していると判断した場合（Ｓ１８４でＮＯ，Ｓ１８５で「第２の速度Ｂ≦スクロール表示速度＜第３の速度Ｃ」  なお、第３の速度Ｃは、第２の速度Ｂよりも速い予め定められた速度）、更に、隣接する画像であって上位階層が異なるものは、当該異なる上位階層の画像を、現在表示している画像の項目に表示してスクロール表示を行う（Ｓ１９１）。
【０１１４】
例えば、表示制御部５２２は、図３４（ｃ）に示すような表示を行う。なお、この変型例では、表示部４１０に一度に表示する送信先画像の数は５つである。但し、表示部４１０に一度に表示する送信先画像の数を５つに限定する趣旨ではない。すなわち、速度検出部５２４により検出された変化速度が、第１の速度Ａ≦スクロール表示速度＜第２の速度Ｂを満たしており、図３４（ｂ）に示すように、表示制御部５２２が、表示部４１０にスクロール表示させる各送信先画像Ｌ1〜Ｌnについての項目であって、隣接表示される各送信先画像同士で一致する項目は非表示としてスクロール表示を行っている状態から（Ｓ１８６）、速度検出部５２４により検出された変化速度が更に速くなって第２の速度Ｂに達した場合、図３４（ｃ）に示すように、表示制御部５２２は、先に表示されている送信先画像Ｌ1,Ｌ2とは上位階層の項目の画像が異なる送信先画像Ｌ3〜Ｌ5については、下位の階層である「名前」の項目に、それよりも１つ上位の階層である「所属係」の項目の画像を表示させる。この場合、表示制御部５２２は、「名前」の項目のみに画像を表示させることが好ましい。スクロール表示速度が速くなっているため、表示項目を減らすことによりユーザの画像視認性を向上させるためである。
【０１１５】
そして、更に、速度検出部５２４により検出された変化速度が第２の速度Ｂよりも速い予め定められた第３の速度Ｃに達し、表示制御部５２２が、当該検出された変化速度が第３の速度Ｃに達していると判断した場合（Ｓ１８４でＮＯ，Ｓ１８５で「スクロール速度≧第３の速度Ｃ」）、表示制御部５２２は、先に表示されている画像に続いて表示される隣接する画像については、更に上位の階層が異なるものは、当該異なる更に上位階層の画像を、現在表示している画像の項目に表示してスクロール表示を行う（Ｓ１９０）。
【０１１６】
例えば、図３４（ｄ）に示すように、送信先画像Ｌ4が先に表示されている場合について説明すると、表示制御部５２２は、先に表示されている送信先画像Ｌ4に対して、Ｓ１９の表示処理を行うために同一性を判断していた「所属係」の項目の画像よりも、更に上位の階層の「所属課」の項目の画像について、先に表示されている送信先画像Ｌ4と後続の送信先画像Ｌ5…の同一性を判断し、当該更に上位階層の「所属課」の項目の画像が異なる送信先画像Ｌ5〜Ｌ8については、当該異なる更に上位階層の「所属課」の項目の画像を、現在表示している「名前」の項目に表示してスクロール表示を行う。この場合も、表示制御部５２２は、「名前」の項目のみに画像を表示させることが好ましい。スクロール表示速度が速くなっているため、表示項目を減らすことによりユーザの画像視認性を向上させるためである。図３４（ｄ）には、送信先画像Ｌ5〜Ｌ8については、「所属部署」「所属課」「所属係」の項目を破線で示しているが、これは、送信先画像Ｌ5〜Ｌ8の上位階層の画像内容を説明するために図示したものであり、好ましい表示形態を示したものではない。
【０１１７】
次に、複合機１による表示部４１０の表示制御処理の第８実施形態について説明する。図２１は、複合機１による表示部４１０の表示制御処理の第８実施形態を示すフローチャートである。図２２（ａ）（ｂ）は表示部４１０の表示画面の一例を示す図である。当該第８実施形態も、表示制御部５２２が、表示部４１０に、指示受付用画像をスクロール表示させる場合の表示処理である。なお、上記第６又は第７実施形態と同様の処理は説明を省略する。
【０１１８】
第８実施形態では、表示制御部５２２は、送信先画像Ｌ1〜Ｌnを送信先画像同士での各項目の一致度合いが高いもの同士を連続させて順番に表示部４１０にスクロール表示する。第８実施形態では、表示部４１０に一度に表示する送信先画像の数は４つである。但し、表示部４１０に一度に表示する送信先画像の数を４つに限定する趣旨ではない。
【０１１９】
例えば、複合機１において、表示制御部５２２が、スキャナ部１１により読み取ったスキャンデータの送信先リストを示すリスト画像Ｌを表示する操作画面Ｂを表示部４１０に表示しているとき（Ｓ１０１）、操作者がスクロールボタンＳＲ１又はＳＲ２をタッチし、これにより、タッチパネル４１０１及び指示受付部５２３により、スクロール表示指示が受け付けられると（Ｓ１０２でＹＥＳ）、表示制御部５２２は、送信先画像Ｌ1〜Ｌnについて上記のスクロール表示を開始する（Ｓ１０３）。なお、タッチパネル４１０１及び指示受付部５２３によりスクロール表示指示が受け付けられない場合は（Ｓ１０２でＮＯ）、Ｓ１０１の処理が繰り返される。
【０１２０】
ここで、操作者がスクロールボタンＳＲ１又はＳＲ２へのタッチを中断する等の操作により、タッチパネル４１０１及び停止指示受付部５２５により、スクロール表示の停止指示が受け付けられると（Ｓ１０４でＹＥＳ）、表示制御部５２２は、当該スクロール表示の停止指示が受け付けられた時点で表示部４１０にスクロール表示していた指示受付用画像（送信先画像Ｌ1〜Ｌnのいずれか）よりも、予め定められた画像数分だけ前に表示していた送信先画像から表示部４１０に表示させる（Ｓ１０６）。
【０１２１】
例えば、図２２（ａ）に示すように、表示制御部５２２によりスクロール表示が行われており、送信先画像Ｌ1〜Ｌnのうち、送信先画像Ｌ4〜Ｌ7が表示部４１０に表示されている状態において、タッチパネル４１０１及び停止指示受付部５２５によりスクロール表示の停止指示が受け付けられた場合、表示制御部５２２は、この表示状態を表示部４１０の表示画面とするのではなく、図２２（ｂ）に示すように、上記予め定められた画像数分が例えば３つとして、送信先画像Ｌ1〜Ｌ4が表示部４１０にスクロール表示されている状態を表示部４１０の表示画面としてスクロール表示を停止する。
【０１２２】
これにより、所望の送信先画像が表示されているときに操作者が停止指示受付部５２５から停止指示を入力できず、当該停止指示の入力タイミングが遅れても、操作者所望の画像が表示部４１０に表示されやすくなる。これにより、画像を表示部４１０でスクロール表示する際に、操作者にとっての視認性を向上させ、操作者が所望の操作案内用画像を見付けやすくすることができる。
【０１２３】
但し、本実施形態においては、速度検出部５２４が、停止指示受付部５２５に上記停止指示が受け付けられたときにスクロール速度を検出するものとし、表示制御部５２２は、当該速度検出部５２４からスクロール速度を取得し、上記Ｓ１０６において、上記予め定められた画像数を当該スクロール速度に応じて上記予め定められた画像数を変更するようにしてもよい。例えば、表示制御部５２２は、当該スクロール速度が速いほど、当該予め定められた画像数を多くする等の処理を行うようにしてもよい。
【０１２４】
次に、複合機１による表示部４１０の表示制御処理の第９実施形態について説明する。図２３は、複合機１による表示部４１０の表示制御処理の第９実施形態を示すフローチャートである。図２４（ａ）乃至（ｄ）は表示部４１０の表示画面の一例を示す図である。当該第９実施形態も、表示制御部５２２が、表示部４１０に、指示受付用画像をスクロール表示させる場合の表示処理である。なお、上記第６乃至第８実施形態と同様の処理は説明を省略する。
【０１２５】
第９実施形態も、第８実施形態と同様に、表示制御部５２２は、送信先画像Ｌ1〜Ｌnを送信先画像同士での各項目の一致度合いが高いもの同士を連続させて順番に表示部４１０にスクロール表示する。
【０１２６】
そして、この第９実施形態では、例えば、複合機１において、スクロール表示指示が受け付けられると（Ｓ１１２でＹＥＳ）、表示制御部５２２は、Ｓ１１３で速度検出部５２４により検出されたスクロール表示速度に応じて、表示部４１０に表示させる指示受付用画像の数を減少させる（Ｓ１１４）。ここで、表示制御部５２２は、表示部４１０にスクロール表示させる各画像についての項目数を、Ｓ７３で速度検出部５２４により検出されるスクロール表示速度が速くなるに連れて減少させ、当該スクロール表示速度が遅くなるに連れて増加させるようにして、表示部４１０にスクロール表示させる各画像についての項目数を算出する（Ｓ１１４）。そして、表示制御部５２２は、スクロール表示の停止指示が受け付けられた時点で表示部４１０にスクロール表示していた指示受付用画像（送信先画像Ｌ1〜Ｌnのいずれか）よりも、予め定められた画像数分だけ前に表示していた送信先画像から表示部４１０に表示させる（Ｓ１１７）。
【０１２７】
例えば、図２４（ａ）に示すように、表示制御部５２２は、表示部４１０に、複数の送信先画像Ｌ1〜Ｌnのうちの４つ送信先画像Ｌ4〜Ｌ7を図２４（ａ）における上下方向に並列させてスクロール表示させる場合（図２４（ａ）では、送信先画像Ｌ4〜Ｌ7以外は非表示）、Ｓ１１３で速度検出部５２４により検出されたスクロール表示速度が予め定められた標準速度Ｓよりも速い予め定められた速度Ｓ１に達した場合は、例えば、図２４（ｂ）に示すように、表示部４１０に表示させる各送信先画像についての表示項目数を３つに減らし、上位の階層から「所属部署」「所属課」「所属係」までを各送信先画像についての表示項目とする。さらに、Ｓ１１３で速度検出部５２４により検出されたスクロール表示速度が上記速度Ｓ１よりも更に速い予め定められた速度Ｓ２に達した場合は、図２４（ｃ）に示すように、表示制御部５２２は、表示部４１０に表示させる各送信先画像についての表示項目数を、速度Ｓ１の場合よりも更に少ない例えば２つに減らし、上位の階層から「所属部署」「所属課」までを各送信先画像についての表示項目とする。
【０１２８】
そして、このような表示状態において、タッチパネル４１０１及び停止指示受付部５２５によりスクロール表示の停止指示が受け付けられた場合、表示制御部５２２は、図２４（ｄ）に示すように、上記予め定められた画像数分を例えば３つとして、送信先画像Ｌ1〜Ｌ4が表示部４１０にスクロール表示されている状態を表示部４１０の表示画面としてスクロール表示を停止する。
【０１２９】
これにより、操作者の画像視認性を低下させる高速の上記変化速度で上記画像がスクロール表示される場合には、各画像の項目数を減少させて、操作者が視認する各画像についての情報量を減らすので、高速スクロール表示時であっても操作者が各画像の内容を把握しやすくなる。
【０１３０】
次に、複合機１による表示部４１０の表示制御処理の第１０実施形態について説明する。図２５は、複合機１による表示部４１０の表示制御処理の第１０実施形態を示すフローチャートである。図２６は表示部４１０の表示画面の一例を示す図である。当該第１０実施形態も、表示制御部５２２が、表示部４１０に、指示受付用画像をスクロール表示させる場合の表示処理である。なお、上記第６乃至第９実施形態と同様の処理は説明を省略する。
【０１３１】
第１０実施形態も、第９実施形態と同様に、表示制御部５２２は、送信先画像Ｌ1〜Ｌnを送信先画像同士での各項目の一致度合いが高いもの同士を連続させて順番に表示部４１０にスクロール表示する。
【０１３２】
そして、この第１０実施形態では、例えば、複合機１において、スクロール表示指示が受け付けられると（Ｓ１２１でＹＥＳ）、表示制御部５２２は、Ｓ１２３で速度検出部５２４により検出されたスクロール表示速度が、予め定められた速度Ｄよりも小さい標準的なスクロール表示速度であると判断した場合は（Ｓ１２４でＹＥＳ）、送信先画像Ｌ1〜Ｌnについて全ての項目を表示させた状態でスクロール表示を行う（Ｓ１３０）。一方、表示制御部５２２は、Ｓ１２３で速度検出部５２４により検出されたスクロール表示速度が、標準的なスクロール表示速度よりも速い上記速度Ｄに達していると判断した場合は（Ｓ１２４でＮＯ）、図２６に示すように、送信先画像Ｌ1〜Ｌnについてそれぞれ最上位の階層の項目のみを表示させた状態でスクロール表示を行う（Ｓ１２５）。以降、スクロール表示の停止指示が停止指示受付部５２５に受け付けられた後の処理（Ｓ１２６乃至Ｓ１２９）は、第９実施形態と同様である。
【０１３３】
これにより、表示制御部５２２は、上記変化速度が予め定められた速度Ｄに達したときは、各送信先画像について最上位階層の項目のみを表示するので、表示部４１０に各送信先画像が更に高速にスクロール表示される場合であっても、操作者が各送信先画像の属性や種別を識別しやすいように、各送信先画像について表示対象とされる情報量が絞られる。これにより、上記各送信先画像が高速にスクロール表示される場合であっても、操作者は、表示部４１０に表示される各送信先画像から所望の画像を特定しやすくなる。また、スクロール表示の停止時には、各送信先画像を構成する全ての項目を表示させた状態になるので、表示されている送信先画像の内容を操作者が識別しやすい状態にあるときは、操作者が十分に各送信先画像の内容を把握できる。
【０１３４】
次に、複合機１による表示部４１０の表示制御処理の第１１実施形態について説明する。図２７は、複合機１による表示部４１０の表示制御処理の第１１実施形態を示すフローチャートである。図２８（ａ）（ｂ）は表示部４１０の表示画面の一例を示す図である。当該第１１実施形態も、表示制御部５２２が、表示部４１０に、指示受付用画像をスクロール表示させる場合の表示処理である。なお、上記第６乃至第１０実施形態と同様の処理は説明を省略する。
【０１３５】
第１１実施形態も、第１０実施形態と同様に、表示制御部５２２は、送信先画像Ｌ1〜Ｌnを送信先画像同士での各項目の一致度合いが高いもの同士を連続させて順番に表示部４１０にスクロール表示する。
【０１３６】
当該第１１実施形態では、例えば、図２８（ａ）に示すように、表示制御部５２２は、Ｓ１３３で速度検出部５２４により検出されたスクロール表示速度が、標準的なスクロール表示速度よりも速い上記速度Ｄに達していると判断した場合は（Ｓ１３４でＮＯ）、送信先画像Ｌ1〜Ｌnについてそれぞれ最上位の階層の項目のみを表示させた状態でスクロール表示を行い（Ｓ１３５）、ここで、スクロール表示の停止指示が停止指示受付部５２５に受け付けられると（Ｓ１３６でＹＥＳ）、図２８（ｂ）に示すように、表示制御部５２２は、当該スクロール表示の停止指示が受け付けられた時点でスクロール表示されている最上位階層の項目が一致する送信先画像Ｌ1〜Ｌnの中で、最先に表示される送信先画像を先頭として並べて表示した状態で、当該スクロール表示を停止させる（Ｓ１３７）。このとき、表示制御部５２２は、表示部４１０に、各送信先画像について全ての項目を表示させる。
【０１３７】
これによれば、スクロール表示の停止時には、停止指示受付部５２５にスクロール表示の停止指示が受け付けられた時点でスクロール表示されている最上位階層の項目が一致する各送信先画像の中で、最先に表示される送信先画像を先頭として並べて表示した状態になるので、最上位階層の項目が一致する各送信先画像のそれぞれの内容を操作者が十分に把握できる。
【０１３８】
次に、複合機１による表示部４１０の表示制御処理の第１２実施形態について説明する。図２９は、複合機１による表示部４１０の表示制御処理の第１２実施形態を示すフローチャートである。図３０（ａ）乃至（ｄ）は表示部４１０の表示画面の一例を示す図である。当該第１２実施形態も、表示制御部５２２が、表示部４１０に、指示受付用画像をスクロール表示させる場合の表示処理である。なお、上記第３実施形態と同様の処理は説明を省略する。
【０１３９】
複合機１の主電源が操作者によってオンにされると、表示制御部５２２は、表示部４１０に上述した図５に示したような操作画面（初期画面Ａ）を表示させる（Ｓ１４１）。表示制御部５２２が、表示部４１０に初期画面Ａを表示させているときに、操作者により、例えば、濃度ボタン４１０ａがタッチされることで、タッチパネル４１０１及び指示受付部５２３によりコピー濃度の設定指示が受け付けられると、表示制御部５２２は、図３０（ａ）に示すような濃度設定ボタン４１０ｂ（濃度設定画面の一部）を表示部４１０に表示させる。
【０１４０】
表示制御部５２２が、濃度設定ボタン４１０ｂを表示させているとき、操作者が、当該濃度設定ボタン４１０ｂを構成するボタン４１０ｂ１〜４１０ｂ５のいずれかをタッチして、タッチパネル４１０１により、ボタン４１０ｂ１〜４１０ｂ５のいずれかの表示位置の座標位置の指定が受け付けられると（Ｓ１４２でＹＥＳ）、指示受付部５２３は、タッチパネル４１０１から当該指定された座標位置の情報を取得し、指示受付部５２３が自ら内蔵するタイマにより当該座標位置指定時からの経過時間を計測する（Ｓ１４３）。なお、タッチパネル４１０１によりボタン４１０ｂ１〜４１０ｂ５のいずれかの表示位置の座標位置の指定が受け付けられない場合は（Ｓ１４２でＮＯ）、Ｓ１４１の処理が繰り返される。
【０１４１】
ここで、指示受付部５２３によって計測される時間が予め定められた経過時間（例えば、0.5秒）に達しても、タッチパネル４１０１により次の座標位置の指定が受け付けられない場合（Ｓ１４３でＹＥＳ）、すなわち、操作者がボタン４１０ｂ１〜４１０ｂ５のいずれかの表示位置の座標位置で指を止めている場合は、当該座標位置に表示されている指示受付用画像（ボタン４１０ｂ１〜４１０ｂ５のいずれか）に対応する指示が指示受付部５２３により受け付けられる（Ｓ１５２）。
【０１４２】
一方、Ｓ１４３において、指示受付部５２３によって計測される時間が予め定められた経過時間に達しない間に（Ｓ１４３でＮＯ）、更なる座標位置がタッチパネル４１０１により受け付けられた場合は（Ｓ１４４でＹＥＳ）、速度検出部５２４が、当該変化前後の座標位置に基づいて変化方向を検出する（Ｓ１４５）。
【０１４３】
そして、表示制御部５２２は、表示の対象としている複数の指示受付用画像（ボタン４１０ｂ１〜４１０ｂ５）を、Ｓ１４５で速度検出部５２４により検出された変化方向に向けて表示部４１０にスクロール表示させる（Ｓ１４６）。例えば、図３０（ｂ）に示すように、Ｓ１４５で速度検出部５２４により検出された変化方向が矢印方向である場合、表示制御部５２２は、当該矢印方向に向けてボタン４１０ｂ１〜４１０ｂ９の各画像が５つずつ表示部４１０に表示されて順にスクロールするように、当該各画像を表示させる。
【０１４４】
ここで、操作者が、ボタン４１０ｂ１〜４１０ｂ９のいずれかをタッチして、タッチパネル４１０１により、ボタン４１０ｂ１〜４１０ｂ９のいずれかの表示位置の座標位置の指定が受け付けられると（Ｓ１４７でＹＥＳ）、指示受付部５２３は、タッチパネル４１０１から当該指定された座標位置の情報を取得し、当該座標位置に表示されているボタンの画像（指示受付用画像）が表示部４１０に表示された状態でスクロール表示を停止させる（Ｓ１４８）。例えば、操作者により、ボタン４１０ｂ９の表示位置の座標位置の指定が受け付けられた場合、図３０（ｃ）に実線で示すように、表示制御部５２２は、ボタン４１０ｂ９の画像が表示された状態の表示画面を表示部４１０に表示させ（例えば拡大表示）、同じく図３０（ｃ）に破線で示すように、操作者からは指定されていない他のボタンの画像も表示された状態の表示画面を表示部４１０に表示させる。このように、操作者により指定されたボタン４１０ｂ９の画像は、図３０（ｃ）に示すように他のボタンの画像よりも拡大して表示する等、他のボタンの画像とは表示を異ならせることが好ましい。
【０１４５】
上記のように操作者により指定されたボタン４１０ｂ９の画像が表示された状態の表示画面が表示部４１０に表示されているときに、操作者が、当該表示されているボタンのいずれかをタッチして、タッチパネル４１０１により、表示されているボタンのいずれかの表示位置の座標位置の指定が受け付けられると（Ｓ１４９でＹＥＳ）、当該座標位置に表示されている指示受付用画像（ボタン４１０ｂ１〜４１０ｂ９のいずれか）に対応する指示が指示受付部５２３により受け付けられる（Ｓ１５２）。
【０１４６】
また、操作者による上記表示位置の座標位置の指定が受け付けられることなく（Ｓ１４９でＮＯ）、操作者によるタッチパネル４１０１の所定の操作（例えば、予め定められた時間内、例えば0.5秒未満の時間内に異なる２点座標位置を指定する等）によりスクロール表示の再開指示が指示受付部５２３に受け付けられると（Ｓ１５０でＹＥＳ）、表示制御部５２２は、Ｓ１４８で停止して表示させている画像をスクロール表示させるのではなく、Ｓ１４８で停止して表示させている画像よりも更にスクロールが進んだ画像からスクロール表示を再開する（Ｓ１５１）。表示制御部５２２は、例えば、図３０（ｃ）に示す表示状態からスクロール表示を開始するのではなく、停止して表示させている画像よりも更にスクロールが進んだ画像からスクロール表示を開始する。例えば、表示制御部５２２は、Ｓ１４６で実行を開始したスクロール表示が停止されることなく、当該スクロール表示が引き続き行われていた場合と同様の表示内容でなるスクロール表示を行う。例えば、図３０（ｄ）に示すように、図３０（ｃ）に示す表示状態では複数の指示受付用画像の中央に表示されていたボタン４１０ｂ９は、Ｓ１４７での座標指定時からＳ１５０でのスクロール表示再開指示時までの時間経過に応じた分だけ図３０（ｄ）の矢印方向（変化方向）に進んだ位置に表示される。この後、処理はＳ１４３に戻る。
【０１４７】
但し、Ｓ１５１の処理は、Ｓ１４８で停止して表示させている画像よりも更にスクロールが進んだ画像から表示制御部５２２がスクロール表示を再開するものであればよい。上記に示した、Ｓ１４６で実行を開始したスクロール表示が停止されることなく当該スクロール表示が引き続き行われていた場合と同様の表示内容でなるスクロール表示は、Ｓ１５１の処理の単なる一例である。
【０１４８】
これにより、例えば、操作者が、表示部４１０にスクロール表示されている各画像の中から所望の画像を見つけたとき、表示部４１０の表示画面に当該所望の画像を表示させた状態として当該画像の内容を確認でき、しかも、操作者が当該画像の内容を確認し終わって、スクロール表示を再開させた場合には、上記所望画像の表示時にも、あたかもスクロール表示が停止せずにそのまま続行されていた場合のような画像が表示されるので、所望の画像が表示部４１０に表示されるまでの待ち時間を減少させることが可能になる。
【０１４９】
次に、複合機１による表示部４１０の表示制御処理の第１３実施形態について説明する。図３１は、複合機１による表示部４１０の表示制御処理の第１３実施形態を示すフローチャートである。図３２（ａ）乃至（ｄ）は表示部４１０の表示画面の一例を示す図である。当該第１３実施形態も、表示制御部５２２が、表示部４１０に、指示受付用画像をスクロール表示させる場合の表示処理である。なお、上記第１２実施形態と同様の処理は説明を省略する。
【０１５０】
この第１３実施形態では、表示制御部５２２が、Ｓ１６５で速度検出部５２４により検出された変化方向に向けて表示部４１０にスクロール表示させているときに（Ｓ１６６）、操作者から座標位置の指定がタッチパネル４１０１に受け付けられると（Ｓ１６７でＹＥＳ）、指示受付部５２３は、タッチパネル４１０１から当該指定された座標位置の情報を取得し、例えば、図３２（ａ）に示すように、当該座標位置に表示されているボタンの画像（指示受付用画像）を表示制御部５２２が表示部４１０の表示画面の前面に表示させる（Ｓ１６８）。
【０１５１】
このとき、表示制御部５２２は、上記前面に表示させたボタンの画像（指示受付用画像）の背面側に、Ｓ１６６で開始させたスクロール表示を停止させることなく続行させた表示状態を維持する（Ｓ１６９）。例えば、図３２（ａ）に示すように、表示制御部５２２は、上記前面にボタンの画像を表示させていても、背面の各ボタンのスクロール表示は図３１（ａ）に示す状態に止めることなく、順次、図３２（ｂ）、更には図３２（ｃ）に示すように、スクロール表示を進める。
【０１５２】
そして、操作者からスクロール表示の再開指示（上記前面側におけるボタン画像表示を停止させる指示）が指示受付部５２３に受け付けられると（Ｓ１７１でＹＥＳ）、表示制御部５２２は、上記前面側におけるボタン画像表示を停止させて非表示とし、Ｓ１６６で開始して、Ｓ１９６において引き続き行っていたスクロール表示を表示部４１０の表示画面の前面に表示する（Ｓ１７２）。例えば、図３２（ｄ）に示すように、表示制御部５２２は、図３２（ａ）に示す表示状態では左から２番目に表示されていたボタン４１０ｂ８は、図３２（ｄ）の矢印方向（変化方向）に更に進んだ位置に表示されている。この後、処理はＳ１６３に戻る。
【０１５３】
これにより、操作者は、表示部４１０にスクロール表示されている各画像の中から所望の画像を見つけたとき、表示部４１０の表示画面に当該所望の画像が表示された状態として当該画像の内容を確認しつつ、スクロール表示により表示部４１０に順次表示される各画像も視認することができる。
【０１５４】
なお、本発明は上記実施の形態の構成に限られず種々の変形が可能である。例えば、上記図１乃至図３４に示した実施形態に係る構成及び処理は、本発明に係る画像形成装置の構成及び処理の単なる一例に過ぎず、本発明に係る画像形成装置の構成及び処理を上記に示した内容に限定するものではない。
【０１５５】
また、上記各実施形態では、本発明に係る表示装置は、上記複合機１等の画像形成装置に搭載されるものに限られず、他の電子機器、例えば、パーソナルコンピュータ、携帯電話、電子レンジ、洗濯機等、あらゆる電子機器に適用が可能である。
【０１５６】
更には、本発明に係る画像形成装置を複合機１として説明したが、本発明に係る画像形成装置は複合機に限定されず、コピー機、ファクシミリ装置、プリンタ等でも構わない。
【０１５７】
また、上記実施形態では、指示受付用画像の表示形態を変更する処理に、速度検出部５２４によって検出される上記変化速度を用いているが、この変化速度としては、上述した変化速度に限られず、座標位置変更時の加速度、又はスクロール表示時のスクロール量等を用いてもよい。この場合、当該加速度及びスクロール量は速度検出部５２４等が検出するものとすればよい。
【符号の説明】
【０１５８】
１        複合機
５１      制御部
５２      ＣＰＵ
５２２    表示制御部
５２３    指示受付部
５２４    速度検出部
５２５    停止指示受付部
５２６    再開指示受付部
５３      画像記憶部
４００    操作部
４１０    表示部
４１０１  タッチパネル
【図１】
0005481157.tif 000002
【図２】
0005481157.tif 000003
【図３】
0005481157.tif 000004
【図４】
0005481157.tif 000005
【図５】
0005481157.tif 000006
【図６】
0005481157.tif 000007
【図７】
0005481157.tif 000008
【図８】
0005481157.tif 000009
【図９】
0005481157.tif 000010
【図１０】
0005481157.tif 000011
【図１１】
0005481157.tif 000012
【図１２】
0005481157.tif 000013
【図１３】
0005481157.tif 000014
【図１４】
0005481157.tif 000015
【図１５】
0005481157.tif 000016
【図１６】
0005481157.tif 000017
【図１７】
0005481157.tif 000018
【図１８】
0005481157.tif 000019
【図１９】
0005481157.tif 000020
【図２０】
0005481157.tif 000021
【図２１】
0005481157.tif 000022
【図２２】
0005481157.tif 000023
【図２３】
0005481157.tif 000024
【図２４】
0005481157.tif 000025
【図２５】
0005481157.tif 000026
【図２６】
0005481157.tif 000027
【図２７】
0005481157.tif 000028
【図２８】
0005481157.tif 000029
【図２９】
0005481157.tif 000030
【図３０】
0005481157.tif 000031
【図３１】
0005481157.tif 000032
【図３２】
0005481157.tif 000033
【図３３】
0005481157.tif 000034
【図３４】
0005481157.tif 000035